(57)【要約】【課題】照度の低下を演算し、自動的に設定照度を確保できる自動照度補正装置を提供する。【解決手段】自動照度補正装置は、照明器具３ａ、３ｂ、３ｃと、照明器具３ａ、３ｂ、３ｃの光源の照度が設定される調光器１と、設定された設定照度と照明器具３ａ、３ｂ、３ｃの光源の照度との照度差が演算される照度演算回路(照度演算手段)１０と、照度演算回路１０からの照度差に係る信号６により自動的に調光される自動調光回路(自動調光手段)９と、自動調光回路９からの調光に係る信号６により照明器具３ａ、３ｂ、３ｃに給電される電気が調光電気７に変換される調光制御架２と、を有する。【選択図】図１
2009170210.tif 000002
【特許請求の範囲】
【請求項１】
照明器具と、
この照明器具の光源の照度が設定される調光器と、
この設定された設定照度と前記照明器具の光源の照度との照度差が演算される照度演算手段と、
この照度演算手段からの前記照度差に係る信号により自動的に調光される自動調光手段と、
この自動調光手段からの前記調光に係る信号に基づいて前記照明器具に給電される電気が調光電気に変換される調光制御架と、
を有することを特徴とする自動照度補正装置。
【請求項２】
室内に取付けられた前記照明器具の光源からの照度が検出され、この照度に係る信号に基づいて前記自動調光手段により前記設定照度に自動的に調光される照度センサをさらに有すること、を特徴とする請求項１記載の自動照度補正装置。
【請求項３】
前記照明器具の光源からの出力信号により光束の低下率を算出し、この光束の低下率により前記自動調光手段により設定照度に自動的に調光される光束維持率特性回路をさらに有すること、を特徴とする請求項１記載の自動照度補正装置。
【請求項４】
前記調光制御架が設定照度まで照度上昇を制御することができなくなったときに前記照明器具の光源を交換するように警報を発する警報手段をさらに有すること、を特徴とする請求項１乃至３のいずれかに記載の自動照度補正装置。
【発明の詳細な説明】
【技術分野】
【０００１】
本発明は、調光式照明設備に係り、特に自動的に照度を補正する自動照度補正装置に関する。
【背景技術】
【０００２】
一般的な調光式照明設備としては、照明制御システムが知られている（例えば、特許文献１参照）。
【０００３】
この従来の照明制御システムについて、図３を用いて説明する。
【０００４】
図３は、従来の自動照度補正装置の概略構成を示す構成図である。
【０００５】
本図に示すように、従来の自動照度補正装置は、主に、調光器１及び調光制御架２から構成されている。この調光器１からの出力信号が調光制御架２において調光電気に変換される。この変換された調光電気が給電されて室５内の照明３が調光される。室５内で作業している作業員４が、調光器１を操作することにより室５内の明るさを確認しながら、視覚的に照明を調光するというものである。
【特許文献１】特開２００５−１８３０５０号公報
【発明の開示】
【発明が解決しようとする課題】
【０００６】
上述した従来の照明制御システムは、主に、照明器具３ａ、３ｂ，３ｃ、調光器１及び調光制御架２から構成されている。室５内で作業中の作業員４が、調光器１を操作することにより室５内の明るさを確認しながら、視覚的に照明を調光している。
【０００７】
しかし、このような照明制御システムおいては、作業員が室内が暗くなったと感じるまで照度を調整せず、気づかないうちに作業環境が悪化しているという課題があった。
【０００８】
また、照明器具３ａ、３ｂ，３ｃの光源の交換を定期的に行う習慣がない限り、長期に亘って使用するので、突然に点滅したり消えたりして、作業環境を阻害するという課題があった。
【０００９】
さらに、調光について、作業員が照度計を用いて照度を確認しながら調光器１を操作する必要があり、作業員に調光するのに多大な負担をかけているという課題があった。
【００１０】
本発明は上記課題を解決するためになされたもので、照度演算手段にて照度の低下を演算し、自動調光手段により自動的に設定照度を確保できる自動照度補正装置を提供することを目的とする。
【課題を解決するための手段】
【００１１】
上記目的を達成するため、本発明の自動照度補正装置においては、照明器具と、この照明器具の光源の照度が設定される調光器と、この設定された設定照度と前記照明器具の光源の照度との照度差が演算される照度演算手段と、この照度演算手段からの前記照度差に係る信号により自動的に調光される自動調光手段と、この自動調光手段からの前記調光に係る信号に基づいて前記照明器具に給電される電気が調光電気に変換される調光制御架と、を有することを特徴とするものである。
【発明の効果】
【００１２】
本発明の自動照度補正装置によれば、照度演算回路の照度信号により照明の照度の補正を自動化することにより、作業員が気づかないうちに照度が低下し、作業環境が悪化することを防止し、作業員が調光器を操作するという作業の削減が可能となる。さらに、照明が突然に点滅したり消えたりして作業環境を阻害することなく、照明の交換時期を知ることが可能となる。
【発明を実施するための最良の形態】
【００１３】
以下、本発明に係る自動照度補正装置の実施の形態について、図面を参照して説明する。ここで、同一又は類似の部分には共通の符号を付すことにより、重複説明を省略する。
【００１４】
図１は、本発明の第１の実施の形態の自動照度補正装置の概略構成を示す構成図である。
【００１５】
まず、自動照度補正装置の構成について、図１を用いて説明する。
【００１６】
本図に示すように、自動照度補正装置は、室５の内部を照明する照明器具３ａ、３ｂ、３ｃを備えている。また、この室５の内部には、作業員４により照明器具３ａ、３ｂ、３ｃの照度が設定される調光器１が設けられている。この調光器１からの信号６により照度を演算する照度演算手段である照度演算回路１０が室５の外部に設けられている。
【００１７】
この照度演算回路１０からの照度に係る信号６が自動調光手段である自動調光回路９に入力される。自動調光回路９において自動的に調光される。また、この自動調光回路９からの信号６が調光制御架２に入力される。この調光制御架２において、照度演算回路１０からの照度に係る信号６に基づいて照明器具３ａ、３ｂ、３ｃに給電される調光電気７に変換される。
【００１８】
このように構成された本実施の形態において、照明器具３ａ、３ｂ、３ｃが点灯しており、この中で作業員４が作業中である。調光器１は、予め作業員４により照度が設定された状態にある。作業面レベルに取付けられた照度センサ１２は、作業面レベルにおける照度を検知することができる。
【００１９】
この検知された照度に係る信号６が照度演算回路１０に入力される。この照度演算回路１０においては、予め作業員４により設定された設定照度に係る信号が調光制御架２より入力されている。この照度センサ１２からの照度に係る信号６と予め設定された設定照度に係る信号６との照度の差である照度差が演算される。
【００２０】
この照度演算回路１０で演算された照度差に係る信号６が自動調光回路９へ入力される。この自動調光回路９おいては、照度センサ１２からの照度に係る信号６と設定照度に係る信号６との照度差により、調光される。
【００２１】
この自動調光回路９おいて調光された照度に係る信号６が、調光制御架２に入力される。調光制御架２には、電源機器８が接続され給電されている。この調光制御架２おいては、入力された照度に係る信号６により調光電気７に変換される。
【００２２】
この調光制御架２おいて変換された調光電気７は、照明器具３ａ、３ｂ、３ｃに給電される。照明器具３ａ、３ｂ、３ｃにおいては、調光制御架２において変換さあれた調光電気７により、室５内の照度が設定照度に自動的に調光される。
【００２３】
上述のように、照度演算回路１０において設定照度からの低下照度が演算され、自動調光回路９を介して調光制御架２において調光電気７に変換される。
【００２４】
さらに、上記室５の内部には、警報機器１１が設けられている。この警報機器１１には、調光制御架２から信号６が伝送される。調光制御架２において、自動調光回路９の調光に係る信号６に基づく調光電気７の増幅が限界に達した時点で、警報機器１１へ信号を入力することができる。かくして、警報機器１１においては、調光制御架２の出力に係る信号６により照明交換時期であることの警報を発することができる。
【００２５】
また、調光器１においては、手動により設定照度を任意に変更な操作器（図示せず）が設けられている。
【００２６】
本実施の形態によれば、照度演算回路１０の照度信号６により照明器具３ａ、３ｂ、３ｃの照度の補正を自動化することにより、作業員４が気づかないうちに照度が低下し、作業環境が悪化することを防止し、作業員４が調光器１を操作する作業の削減を可能としている。また、警報機器１１を設けることにより、作業員４へ照明交換時期であることの警報を発することが可能である。かくして、照明が突然に点滅したり消えたりして作業環境を阻害することなく、照明器具３ａ、３ｂ、３ｃの光源の交換時期を知ることが可能となる。
【００２７】
図２は、本発明の第２の実施の形態の自動照度補正装置の概略構成を示す構成図である。本図は、図１の自動照度補正装置に光束維持率特性回路１３を追加して設けたものであり、図１と同一又は類似の部分には共通の符号を付すことにより、重複説明を省略する。
【００２８】
本図に示すように、自動照度補正装置は、室５の内部を照明する照明器具３ａ、３ｂ、３ｃを備えている。また、この室５の内部には、作業員４により照明器具３ａ、３ｂ、３ｃの照度が設定される調光器１が設けられている。この調光器１からの信号６により照度を演算する照度演算回路１０が室５の外部に設けられている。
【００２９】
この照度演算回路１０には、光束維持率特性回路１３がさらに接続されている。この光束維持率特性回路１３は、照明器具３ａ、３ｂ、３ｃの光源からの出力信号６により光束の低下率を算出し、この光束の低下率により自動調光手段である自動調光回路９により設定照度に自動的に調光するものである。
【００３０】
このように構成された本実施の形態において、照明３が点灯しており、この中で作業員４が作業中である。調光器１は、予め作業員４により照度が設定されている。
【００３１】
この調光器１からの信号６が照度演算回路１０に入力される。
【００３２】
また、この照度演算回路１０に接続された光束維持率特性回路１３においては、予め照明器具３ａ、３ｂ、３ｃの光源の光束維持率特性が記憶されている。この光源の光束維持率特性に基づいて、照明器具３ａ、３ｂ、３ｃの光源からの出力に係る信号６により光束の低下率が算出される。
【００３３】
この光源の光束の低下率は、信号６として自動調光回路９へ入力される。自動調光回路９において、光源の光束維持率特性回路１３から伝達された光束の低下率に基づいて調光される。
【００３４】
この自動調光回路９おいて調光に係る信号６が、調光制御架２に入力される。この調光制御架２おいては、入力された調光に係る信号６により、調光電気７に変換される。
【００３５】
この調光制御架２おいて変換された調光電気７は、照明器具３ａ、３ｂ、３ｃに給電される。照明器具３ａ、３ｂ、３ｃにおいては、調光制御架２において変換さあれた調光電気７により、室５内の照度が設定照度に自動的に調光される。
【００３６】
さらに、上記室５の内部には、警報機器１１が設けられている。この警報機器１１には、調光制御架２から信号６が伝送される。調光制御架２において、光源の光束維持率特性回路１３から伝達された光束の低下率に基づき、調光電気７の増幅が限界に達した時点で、警報機器１１へ信号を入力することができる。かくして、警報機器１１においては、調光制御架２の出力に係る信号６により警報を発することができる。
【００３７】
本実施の形態によれば、光束維持率特性回路１３から伝達された光束の低下率に基づいて、照明器具３ａ、３ｂ、３ｃの照度の補正を自動化することにより、作業員４が気づかないうちに照度が低下し、作業環境が悪化することを防止できる。また、作業員４が調光器１を操作するという作業の削減が可能となる。また、警報機器１１を設けることにより、照明の交換時期を作業員４へ照明交換時期であることの警報を発することが可能である。かくして、照明が突然に点滅したり消えたりして作業環境を阻害することなく、照明器具３ａ、３ｂ、３ｃの交換時期を知ることが可能となる。
【００３８】
さらに、本発明は、上述したような各実施の形態に何ら限定されるものではなく、図１の照度センサ１２の設置位置は任意に変更可能であり、また、照度センサ１２からの信号は、無線電波による通信方式を採用してもよく、本発明の主旨を逸脱しない範囲で種々変形して実施することができる。
【図面の簡単な説明】
【００３９】
【図１】本発明の第１の実施の形態の自動照度補正装置の概略構成を示す構成図。
【図２】本発明の第２の実施の形態の自動照度補正装置の概略構成を示す構成図。
【図３】従来の自動照度補正装置の概略構成を示す構成図。
【符号の説明】
【００４０】
１…調光器、２…調光制御架、３ａ、３ｂ、３ｃ…照明器具、４…作業員、５…室、６…信号、７…調光電気、８…電源機器、９…自動調光回路(自動調光手段)、１０…照度演算回路(照度演算手段)、１１…警報機器、１２…照度センサ、１３…光束維持率特性回路。
【図１】
2009170210.tif 000003
【図２】
2009170210.tif 000004
【図３】
2009170210.tif 000005